(57)【要約】      （修正有）【課題】電池セルの端子構造を改良して、大電流充放電及び、製造時のネジ締めトルクに対する耐性を向上する電池セルと組電池を提供する。【解決手段】正極端子２５Ａに雄構造を、負極端子２５Ｂに雌構造を有し、その雄雌構造はたとえば、雄・雌接続部が同時に形成されたコネクタ状の接続部材やギボシ端子状の部材、雄・雌螺子構造でそこに挿通孔を有するバスバー取り付け可能とした螺子状端子構造を有する電池セルを備えた組電池。【選択図】図１
2017216088.tif 000002
【特許請求の範囲】
【請求項１】
正極に雄構造を有し、負極に雌螺子構造を有した電池セルを備えた組電池。
【発明の詳細な説明】
【技術分野】
【０００１】
本発明の実施形態は、組電池に関する。
【背景技術】
【０００２】
従来、上壁部に電極部が設けられた金属缶タイプの電池セルと、電池セルを支持したホ
ルダと、を備えた組電池が、知られている。
【先行技術文献】
【特許文献】
【０００３】
【特許文献１】再表２０１３−０７３０４６号公報
【発明の概要】
【発明が解決しようとする課題】
【０００４】
この種の組電池では、例えば、より不都合の少ない新規な構成が得られれば、好ましい
。
【課題を解決するための手段】
【０００５】
上記の課題を解決するために、本実施形態の組電池は、正極に雄構造を有し、負極に雌
螺子構造を有した電池セルを備えている。
【図面の簡単な説明】
【０００６】
【図１】第１の実施形態に係る実施形態に係る電池セルの斜視図。
【図２】第１の実施形態に係る組電池の斜視図。
【図３】第１の実施形態に係る図２のＡ―Ａ´線に沿う断面を矢印方向から見た断面図（要部拡大図）。
【図４】第１の実施形態の変形例１に係る実施形態に係る電池セルの斜視図。
【図５】第１の実施形態の変形例１に係る実施形態に係る接続部材の斜視図。
【図６】第１の実施形態の変形例２に係る実施形態に係る電池セルの斜視図。
【図７】第１の実施形態の変形例２に係る実施形態に係る接続部材の斜視図。
【図８】第１の実施形態の変形例２に係る実施形態に係る組電池の斜視図。
【図９】第１の実施形態の変形例３に係る実施形態に係る電池セルの斜視図。
【図１０】第１の実施形態の変形例３に係る実施形態に係る組電池の斜視図。
【図１１】第１の実施形態の変形例３に係る図１０のＢ―Ｂ´線に沿う断面を矢印方向から見た断面図（要部拡大図）。
【図１２】第１の実施形態の変形例３に係る図１０のＢ―Ｂ´線に沿う断面を矢印方向から見た断面図（要部拡大図）。
【図１３】第１の実施形態の変形例４に係る実施形態に係る電池セルの斜視図。
【図１４】第１の実施形態の変形例４に係る実施形態に係る組電池の正面図。
【発明を実施するための形態】
【０００７】
以下、本発明の例示的な実施形態が開示される。以下に示される実施形態の構成、なら
びに当該構成によってもたらされる作用および結果（効果）は、一例である。本発明は、
以下の実施形態に開示される構成以外によっても実現可能である。また、本発明によれば
、構成によって得られる種々の効果（派生的な効果も含む）のうち少なくとも一つが得ら
れうる。
【０００８】
以下、実施形態を図面に基づき説明する。
【０００９】
（第１の実施形態）
図１は実施形態に係る電池セル２の斜視図である。電池セル２は、筐体２０と、一対の
電極部２５と、を有する。電極部２５のうち一方は正極部２５Ａであり、他方は負極部２
５Ｂである
【００１０】
電池セル２は、例えば、リチウムイオン二次電池等で構成されている。なお、電池セル
２は、ニッケル水素電池や、ニッケルカドミウム電池等、他の二次電池であってもよい。
リチウムイオン二次電池は、非水電解質二次電池の一種であり、電解質中のリチウムイオ
ンが電気伝導を担う。正極材料としては、例えば、リチウムマンガン複合酸化物や、リチ
ウムニッケル複合酸化物、リチウムコバルト複合酸化物、リチウムニッケルコバルト複合
酸化物、リチウムマンガンコバルト複合酸化物、スピネル型リチウムマンガンニッケル複
合酸化物、オリビン構造を有するリチウムリン酸化物等が用いられ、負極材料としては、
例えば、チタン酸リチウム（ＬＴＯ）等の酸化物系材料や、ニオブ複合酸化物等の酸化物
材料等が用いられる。また、電解質（例えば、電解液）としては、フッ素系錯塩（例えば
ＬｉＢＦ４、ＬｉＰＦ６）等のリチウム塩が配合された、例えば、炭酸エチレンや、炭酸
プロピレン、炭酸ジエチル、炭酸エチルメチル、炭酸ジメチル等の有機溶媒等が単独であ
るいは複数混合されて用いられる。電池セル２は、単電池等とも称されうる。
【００１１】
図１に示されるように、電池セル２の筐体２０は、Ｘ方向に薄い扁平な直方体状に構成
され、筐体２０は例えばＳＵＳにより形成されている。
【００１２】
また、電池セル２の正極部２５Ａは雄構造（若しくは雌構造）を有し、負極部２５Ｂは
雌構造（若しくは雄構造）を有している。
【００１３】
図２は電池セル２を積層して各々の電池セル２の電極部を接続した、組電池１を示して
いる。ここに示すように、正極部２５Ａと負極部２５Ｂが嵌め込まれて接続されている。
図３は、図２のＡ―Ａ´線に沿う断面を矢印方向から見た、電池セルの断面図（要部拡大
図）であり、電極部が接続されている様子を示している。
【００１４】
（第１の実施形態の変形例１）
第１の実施形態の変形例１では、電極部の構造等が第１の実施形態と異なる部分がある
。したがって、第１の実施形態と同一の箇所には同一の符号を付して、詳細の説明は適宜
省略する。
【００１５】
図４は本変形例１に係る電池セル３の斜視図で、図５は接続部材２６の斜視図である。
本変形例では、電極部２５に雄・雌接続部が同時に形成された接続部材２６を、電池セル
３の正極部２５Ａおよび２５Ｂに回転対称になるように接続し、ひとつの電池セル３の正
極部２５Ａ（または負極部２５Ｂ）の接続部材２６を他の電池セル３の負極部２５Ｂ（ま
たは正極部２５Ａ）の接続部材にはめ込む。相互に接続した電池セル３は接続部材２６を
曲げてつづら折りにして積層する。
【００１６】
（第１の実施形態の変形例２）
第１の実施形態の変形例２では、電極部の構造等が第１の実施形態と異なる部分がある
。したがって、第１の実施形態と同一の箇所には同一の符号を付して、詳細の説明は適宜
省略する。
【００１７】
図６は本変形例２に係る電池セル４の斜視図で、図５は接続部材２６の斜視図である。
本変形例では、電極部２５に一方の端がギボシ端子となっている接続部材２７を接続し、
ひとつの電池セル３の正極部２５Ａ（または負極部２５Ｂ）の接続部材２７を他の電池セ
ル３の負極部２５Ｂ（または正極部２５Ａ）にはめ込む。相互に接続した電池セル３は接
続部材２６を曲げてつづら折りにして積層する。（組電池１１、図８）
【００１８】
（第１の実施形態の変形例３）
第１の実施形態の変形例３では、電極部の構造等が第１の実施形態と異なる部分がある
。したがって、第１の実施形態と同一の箇所には同一の符号を付して、詳細の説明は適宜
省略する。
【００１９】
図９は本変形例３に係る電池セル５の斜視図である。本変形例では、正極部２５Ａ、負
極部２５Ｂがそれぞれ複数設けられており、セル間バスバー２８を複数のセル端子に同時
に接続して、組電池１２を形成する（図１０）。また、図１１は、図１０のＢ―Ｂ´線に
沿う断面を矢印方向から見た、組電池１２の断面図（要部拡大図）であるが、
電池セル同士を接続するセル間バスバー２８は、ネジ止めによって固定されている。
【００２０】
なお、図１２に示したように、セル間バスバー２８はリベット留めにより接続することも
可能である。
【００２１】
（第１の実施形態の変形例４）
第１の実施形態の変形例４では、電極部の構造等が第１の実施形態と異なる部分がある
。したがって、第１の実施形態と同一の箇所には同一の符号を付して、詳細の説明は適宜
省略する。
【００２２】
図１３は本変形例４に係る電池セル６の斜視図である。本変形例では、電池セルの正極
部２８Ａおよび負極部２８Ｂに雌螺子構造を有する。これら正極部２８Ａ及び負極部２８
Ｂは、雌螺子に嵌合する雄螺子を挿通する透孔を複数有するバスバーに２９よって接続さ
れ、バスバーと正極部２８Ａおよび負極部２８Ｂは雄螺子によって固定されている。また
、図１５は電池セル６を複数接続した組電池１２の正面図であるが、このようにバスバー
２９は狭あい部を有している。
【００２３】
以上のような実施形態の組電池、電池セルにより、例えば、大電流充放電及び、製造時の
ネジ締めトルクに対する耐性を向上することができる。
【００２４】
本発明のいくつかの実施形態を説明したが、これらの実施形態は、例として提示したも
のであり、発明の範囲を限定することは意図していない。これらの実施形態は、その他の
様々な形態で実施されることが可能であり、発明の要旨を逸脱しない範囲で、種々の省略
、置き換え、変更を行うことができる。これら実施形態やその変形は、発明の範囲や要旨
に含まれると同様に、特許請求の範囲に記載された発明とその均等の範囲に含まれるもの
である。
【符号の説明】
【００２５】
１…組電池、２…電池セル
【図１】
2017216088.tif 000003
【図２】
2017216088.tif 000004
【図３】
2017216088.tif 000005
【図４】
2017216088.tif 000006
【図５】
2017216088.tif 000007
【図６】
2017216088.tif 000008
【図７】
2017216088.tif 000009
【図８】
2017216088.tif 000010
【図９】
2017216088.tif 000011
【図１０】
2017216088.tif 000012
【図１１】
2017216088.tif 000013
【図１２】
2017216088.tif 000014
【図１３】
2017216088.tif 000015
【図１４】
2017216088.tif 000016